(57)【要約】【課題】携帯無線電話機を管理中継局装置に自動接続し、電話機間の音声情報送受信と管理中継局装置の情報検索を行うシステムを提供することを目的とする。【解決手段】管理中継局自動接続装置を装着した発信者携帯無線電話機と着信者電話機がインターネットを介して接続される管理中継局装置とを備え、管理中継局自動接続装置は、ＵＲＬと課金番号とを登録したメモリーと、発信者携帯無線電話機からの要求に応答してＵＲＬに該当する管理中継局装置に接続する自動接続手段を備え、管理中継局装置は、発信者携帯無線電話機から送信された課金情報を含む発信情報を受信して、データベースを検索して通信サービスの提供可否を検査する利用条件検査手段と、発信者携帯無線電話機と着信者電話機との間で、音声情報を送受信する音声送受信手段とを備えることを特徴とする。【選択図】　　　　　図１
2004088174.tif 000002
【特許請求の範囲】
【請求項１】
Ｗｅｂを利用した通信システムにより、通信料金の代金前払い方式による通信サービスを提供するシステムであって、
電話の発信者側が備える複数の発信者携帯無線電話機に共通に利用され、その発信者携帯無線電話機に装着された着脱自在な管理中継局自動接続装置と、電話の着信者側が備える携帯無線電話機や固定電話機である着信者電話機と、前記発信者携帯無線電話機と前記着信者電話機がインターネットを介して接続されて中継局業者が備える管理中継局装置とを少なくとも備え、
前記管理中継局自動接続装置は、前記発信者携帯無線電話機を前記管理中継局装置に自動接続する為の前記管理中継局装置のＵＲＬと前記管理中継局装置がこの管理中継局自動接続装置の利用時間を課金する為の課金番号とを少なくとも登録したメモリーと、
前記発信者携帯無線電話機からの要求に応答して、前記ＵＲＬに該当する前記管理中継局装置に接続して前記課金番号を含む発信情報を送信する自動接続手段とを少なくとも備え、
前記管理中継局装置は、前記課金番号毎に前記通信サービスの利用可能時間を含む課金情報を少なくとも登録したデータベースと、
前記自動接続手段によって送信された前記発信情報を受信し、この発信情報より前記データベースを検索して該当する前記課金情報を取得し、この課金情報より前記通信サービスの提供可否を検査する利用条件検査手段と、
前記利用条件検査手段によって検査した検査結果が前記通信サービスの提供可の場合に、前記発信者携帯無線電話機とこの発信者携帯無線電話機からの指定した前記着信者電話機との間で、それぞれの音声情報を送受信する音声送受信手段とを少なくとも備えることを特徴とする、Ｗｅｂを利用した代金前払い方式による通信システム。
【請求項２】
前記音声送受信手段は、前記発信者携帯無線電話機からの要求に応答して、接続中に於ける前記発信者携帯無線電話機のドメイン名とその発信者携帯無線電話機からの指定した前記着信者電話機のドメイン名とを含む接続電話機情報を前記データベースに登録する接続電話機登録手段と、
前記発信者携帯無線電話機、又は、前記着信者電話機からの前記音声情報を受信して、受信した前記音声情報を前記接続電話機情報に基づいて、該当する前記着信者電話機、又は、前記発信者携帯無線電話機に送信する音声振分手段とを少なくとも備えることを特徴とする、請求項１に記載のＷｅｂを利用した代金前払い方式による通信システム。
【請求項３】
前記データベースに登録されている情報には、テキスト情報、音声情報、及び、画像情報の中で、１つ以上の情報からなる登録情報を更に備え、
前記管理中継局装置は、前記利用条件検査手段によって検査した検査結果が前記通信サービスの提供可の場合に、前記音声情報の送受信と前記登録情報の検索とを含む前記通信サービスのメニュー画面を要求のあった前記発信者携帯無線電話機に表示し、その発信者携帯無線電話機からのメニュー選択に基づいて、前記データベースを検索して該当する前記登録情報をその発信者携帯無線電話機に表示する登録情報検索手段を更に備えることを特徴とする、請求項１、又は、請求項２に記載のＷｅｂを利用した代金前払い方式による通信システム。
【発明の詳細な説明】
【０００１】
【発明の属する技術分野】
本発明は、Ｗｅｂを利用した通信システムにより、通信料金の代金前払い方式による通信サービスを提供するシステムに関するものである。
【０００２】
【従来の技術】
通信料金の代金前払い方式によるＷｅｂを利用した携帯電話の通信システムに於いては、その利用者が携帯電話を利用する際に、事業者側のＵＲＬ（Ｕｎｉｆｏｒｍ　Ｒｅｓｏｕｒｃｅ　Ｌｏｃａｔｏｒｓ）と利用者の課金番号等の入力の煩わしさが問題点として指摘されている。
【０００３】
又、事業者側にとっても、通信料金の代金前払い契約の対象を利用される携帯電話に限定するのではなく、不特定多数の携帯電話に共通に利用可能とすることによって、その普及を促進する手段が望まれている。
【０００４】
又、代金前払い方式を利用した携帯電話に関するシステムの事例して、例えば、特開２０００−１３５３８号に開示されている「通信システム」が示すように、携帯電話の電話料金を通信センタによって管理することを主体にしており、前述の問題点に対応した運用改善については記載されていない。
【０００５】
【発明が解決しようとする課題】
以上のような問題を解決する為に本発明では、通信料金の代金前払い方式によるＷｅｂを利用した通信サービスに於いて、利用者の携帯無線電話機を所定の管理中継局装置に自動接続し、電話機間で、それぞれの音声情報を送受信すると共に、携帯無線電話機からの要求に基づいて管理中継局装置が備える情報を検索するシステムを提供することを目的とする。
【０００６】
【課題を解決するための手段】
上記目的を達成する為、請求項１に記載の発明は、Ｗｅｂを利用した通信システムにより、通信料金の代金前払い方式による通信サービスを提供するシステムであって、
電話の発信者側が備える複数の発信者携帯無線電話機に共通に利用され、その発信者携帯無線電話機に装着された着脱自在な管理中継局自動接続装置と、電話の着信者側が備える携帯無線電話機や固定電話機である着信者電話機と、前記発信者携帯無線電話機と前記着信者電話機がインターネットを介して接続されて中継局業者が備える管理中継局装置とを少なくとも備え、
前記管理中継局自動接続装置が、前記発信者携帯無線電話機を前記管理中継局装置に自動接続する為の前記管理中継局装置のＵＲＬと前記管理中継局装置がこの管理中継局自動接続装置の利用時間を課金する為の課金番号とを少なくとも登録したメモリーと、
前記発信者携帯無線電話機からの要求に応答して、前記ＵＲＬに該当する前記管理中継局装置に接続して前記課金番号を含む発信情報を送信する自動接続手段とを少なくとも備え、
前記管理中継局装置が、前記課金番号毎に前記通信サービスの利用可能時間を含む課金情報を少なくとも登録したデータベースと、
前記自動接続手段によって送信された前記発信情報を受信し、この発信情報より前記データベースを検索して該当する前記課金情報を取得し、この課金情報より前記通信サービスの提供可否を検査する利用条件検査手段と、
前記利用条件検査手段によって検査した検査結果が前記通信サービスの提供可の場合に、前記発信者携帯無線電話機とこの発信者携帯無線電話機からの指定した前記着信者電話機との間で、それぞれの音声情報を送受信する音声送受信手段とを少なくとも備えることを特徴とする。
【０００７】
この請求項１に記載の発明により、利用者は、携帯無線電話機を利用する際に、管理中継局装置のＵＲＬ、通信料金の代金前払い方式の為の課金番号の入力を省略することができる。
又、事業者は利用者に対して、複数の携帯無線電話機に共通に利用可能な管理中継局自動接続装置を提供することによって、管理中継局自動接続装置の普及を促進することができる。
【０００８】
請求項２に記載の発明は、前記音声送受信手段が、前記発信者携帯無線電話機からの要求に応答して、接続中に於ける前記発信者携帯無線電話機のドメイン名とその発信者携帯無線電話機からの指定した前記着信者電話機のドメイン名とを含む接続電話機情報を前記データベースに登録する接続電話機登録手段と、
前記発信者携帯無線電話機、又は、前記着信者電話機からの前記音声情報を受信して、受信した前記音声情報を前記接続電話機情報に基づいて、該当する前記着信者電話機、又は、前記発信者携帯無線電話機に送信する音声振分手段とを少なくとも備えることを特徴とする。
【０００９】
この請求項２に記載の発明により、事業者は利用者に対して、接続中の電話機のドメイン名を管理中継局装置に登録することにより、通信中の電話機とその通信相手の電話機を管理して、電話機間で送受信される音声情報を自動的に振り分ける通信サービスを提供することができる。
【００１０】
請求項３に記載の発明は、前記データベースに登録されている情報が、前記データベースが、テキスト情報、音声情報、及び、画像情報の中で、１つ以上の情報からなる登録情報を更に備え、
前記管理中継局装置が、前記利用条件検査手段によって検査した検査結果が前記通信サービスの提供可の場合に、前記音声情報の送受信と前記登録情報の検索とを含む前記通信サービスのメニュー画面を要求のあった前記発信者携帯無線電話機に表示し、その発信者携帯無線電話機からのメニュー選択に基づいて、前記データベースを検索して該当する前記登録情報をその発信者携帯無線電話機に表示する登録情報検索手段を更に備えることを特徴とする。
【００１１】
この請求項３に記載の発明により、事業者は利用者に対して、電話機間の音声情報の送受信を行う通信サービスに加えて、利用者の要求に基づいた情報検索を行う通信サービスを提供することにより、管理中継局自動接続装置の更なる普及に繋げることができる。
【００１２】
【発明の実施の形態】
以下、本発明の一実施の形態を図に基づいて詳細に説明する。
図１は本発明のＷｅｂを利用した代金前払い方式による通信システム１００のシステム構成を示す模式図である。
【００１３】
図１に示すように、Ｗｅｂを利用した代金前払い方式による通信システム１００は、電話の発信者側が備える携帯無線電話機１と、電話の着信者側が備える固定電話機２と、携帯無線電話機１と固定電話機２がインターネット３を介して接続されて中継局業者が備える管理中継局装置１０とから構成される。
【００１４】
携帯無線電話機１は、複数の携帯無線電話機１に共通に利用され、着脱自在な管理中継局自動接続装置４が装着されており、この管理中継局自動接続装置４は、メモリー５を備える。
【００１５】
メモリー５には、携帯無線電話機１を管理中継局装置１０に自動接続する為の管理中継局装置１０のＵＲＬと、管理中継局装置１０がこの管理中継局自動接続装置４の利用時間を課金する為の課金番号とを登録する。
【００１６】
管理中継局装置１０は、代金前払い方式による通信サービスを提供する為に必要な情報を登録する為のデータベース２０と、携帯無線電話機１からの検索要求を受信して、データベース２０の検索結果を、インターネット３を介して送信するＷｅｂサーバー１１と、データベース２０を管理するデータベースサーバー１２と、通信料金の代金前払い方式による通信サービスの業務処理を行うアプリケーションサーバー１３とから構成される。
【００１７】
データベース２０は、課金テーブル２１、接続電話機テーブル２２、及び、登録情報テーブル２３から構成される。
【００１８】
課金テーブル２１は、管理中継局自動接続装置４を使用した携帯無線電話機１の通信サービスの利用可能時間を管理する為の課金情報を記録するものである。課金情報には、検索キー部である課金番号と、データ部に属する利用可能時間、登録年月日等の情報を格納する。
携帯無線電話機１と固定電話機２との通信時間は、管理中継局装置１０で計測され、利用可能時間より通信時間を減算して更新される。
【００１９】
接続電話機テーブル２２は、携帯無線電話機１のドメイン名とその通信中の固定電話機２のドメイン名を含む接続電話機情報を記録するものである。
接続電話機情報には、検索キー部である携帯無線電話機１のドメイン名と、検索キー部である固定電話機２のドメイン名と、データ部に属する通信開始年月日、通信開始時刻等の情報を格納する。
【００２０】
登録情報テーブル２３は、携帯無線電話機１からの検索要求に基づいて提供する登録情報を記録するものである。
登録情報には、検索キー部である登録情報名と、データ部に属する登録情報コード、情報内容、登録年月日、登録時刻等の情報を格納する。
情報内容には、テキスト情報、音声情報、画像情報等が登録される。
【００２１】
次に、管理中継局自動接続装置４の自動接続手段６が、携帯無線電話機１からの要求信号に応答して、メモリー５に登録されたＵＲＬに該当する管理中継局装置１０に接続する処理手順と、管理中継局装置１０の処理手段群３０が、携帯無線電話機１からの要求信号に応答して、データベース２０の検索を行う処理手順について詳細に説明する。図２は、本発明である管理中継局自動接続装置４に於ける自動接続手段６と管理中継局装置１０に於ける処理手段群３０の処理の流れ図であり、処理手段群３０は、以下の４手段から構成される。
【００２２】
これらは、利用条件検査手段３１、接続電話機登録手段３２、音声振分手段３３、及び、登録情報検索手段３４である。
【００２３】
自動接続手段６は、携帯無線電話機１からの要求に応答して、ＵＲＬに該当する管理中継局装置１０に接続して課金番号を含む発信情報を送信する。
【００２４】
以下に、自動接続手段６の処理手順を詳細に説明する。
（１）携帯無線電話機１からの通信要求に応答して、携帯無線電話機１のドメイン名とメモリー５に登録されているＵＲＬと課金番号とを取得する。
（２）取得したＵＲＬに該当する管理中継局装置１０に携帯無線電話機１のドメイン名と課金番号とからなる発信情報を送信する。
【００２５】
利用条件検査手段３１は、自動接続手段６によって送信された発信情報を受信し、この発信情報よりデータベース２０を検索して該当する課金情報を取得し、この課金情報より通信サービスの提供可否を検査する。
【００２６】
以下に、利用条件検査手段３１の処理手順を詳細に説明する。
（１）利用条件検査手段３１は、管理中継局装置１０の電源投入時に自動起動され、自動接続手段６からの発信情報を受け付けるまでウエイトする。
（２）ウエイトの解除後、自動接続手段６から受け付けた発信情報に設定されている課金番号より、課金テーブル２１を検索して該当する課金情報を取得し、取得した課金情報に設定されている利用可能時間を検査する。利用可能時間がゼロ以外の場合は、自動接続手段６から受け付けた発信情報を接続電話機登録手段３２、及び、登録情報検索手段３４に受け渡す。
利用可能時間がゼロの場合は、利用可能時間不足エラー通知画面を要求のあった携帯無線電話機１に送信する。
【００２７】
接続電話機登録手段３２は、携帯無線電話機１からの音声情報送受信のメニュー選択に基づいて、その携帯無線電話機１のドメイン名とこの携帯無線電話機１からの指定した固定電話機２のドメイン名とを含む接続電話機情報をデータベース２０に登録する。
【００２８】
以下に、接続電話機登録手段３２の処理手順を詳細に説明する。
（１）携帯無線電話機１からの音声情報送受信のメニュー選択信号に応答して、利用条件検査手段３１からの発信情報を取得する。
（２）利用条件検査手段３１からの発信情報を取得した場合は、接続電話機登録・固定電話機ドメイン名入力画面を要求のあった携帯無線電話機１に送信して（３）の処理を行う。利用条件検査手段３１からの発信情報が取得できなかった場合は、利用可能時間不足エラー通知画面を要求のあった携帯無線電話機１に送信して処理を終了する。
（３）携帯無線電話機１からの固定電話機２のドメイン名の入力を受け付けて、入力した固定電話機２のドメイン名が編集されている接続電話機登録確認画面を要求のあった携帯無線電話機１に送信する。
（４）携帯無線電話機１からの確認ＯＫの選択を受け付けて、自動接続手段６から取得した発信情報に設定されている携帯無線電話機１のドメイン名と入力した固定電話機２のドメイン名より接続電話機情報を作成して、接続電話機テーブル２２に登録する。
【００２９】
音声振分手段３３は、携帯無線電話機１、又は、固定電話機２からの音声情報を受信して、受信した音声情報を接続電話機情報に基づいて、該当する固定電話機２、又は、携帯無線電話機１に送信する。
【００３０】
以下に、音声振分手段３３の処理手順を詳細に説明する。
（１）音声振分手段３３は、管理中継局装置１０の電源投入時に自動起動され、携帯無線電話機１、又は、固定電話機２からの音声情報を受け付けるまでウエイトする。
（２）ウエイトの解除後、取得した音声情報に設定されている携帯無線電話機１、又は、固定電話機２のドメイン名より、接続電話機テーブル２２を検索して該当する接続電話機情報を取得する。
（３）（１）の処理で携帯無線電話機１からの音声情報を取得した場合は、（２）の処理で取得した接続電話機情報に設定されている固定電話機２のドメイン名の固定電話機２に（１）の処理で取得した音声情報を送信する。
又、（１）の処理で固定電話機２からの音声情報を取得した場合は、（２）の処理で取得した接続電話機情報に設定されている携帯無線電話機１のドメイン名の携帯無線電話機１に（１）の処理で取得した音声情報を送信する。
（４）携帯無線電話機１、又は、固定電話機２からの音声通信終了信号に応答して、（２）の処理で取得した接続電話機情報を接続電話機テーブル２２より削除する。
【００３１】
登録情報検索手段３４は、携帯無線電話機１からの登録情報検索のメニュー選択に基づいて、データベース２０を検索して該当する登録情報をその携帯無線電話機１に表示する。
【００３２】
以下に、登録情報検索手段３４の処理手順を詳細に説明する。
（１）携帯無線電話機１からの登録情報検索のメニュー選択信号に応答して、利用条件検査手段３１からの発信情報を取得する。
（２）利用条件検査手段３１からの発信情報を取得した場合は、（１）の処理で選択した登録情報検索メニューより、登録情報テーブル２３を検索して該当する登録情報を取得して（３）の処理を行う。利用条件検査手段３１からの発信情報が取得できなかった場合は、利用可能時間不足エラー通知画面を要求のあった携帯無線電話機１に送信して処理を終了する。
（３）取得した登録情報が編集されている登録情報検索画面を要求のあった携帯無線電話機１に送信する。
【００３３】
以上、本発明の一実施の形態を詳細に説明したが、本発明は、本実施の形態に限られるものではない。本発明の技術的範囲から逸脱しない範囲内で多様に変更実施することが可能である。
【００３４】
【発明の効果】
以上説明したように、本発明のＷｅｂを利用した代金前払い方式による通信システムによれば、事業者は、利用者が携帯無線電話機を利用する際に、管理中継局装置に接続する為の情報を入力することなく管理中継局装置に自動接続して、通信相手の電話機との音声情報を送受信する通信サービスを提供することができる。
【００３５】
又、事業者は、複数の携帯無線電話機に共通に利用可能な管理中継局自動接続装置を提供することにより、その普及を促進し、情報提供の内容充実に繋げることができる。
【図面の簡単な説明】
【図１】本発明のＷｅｂを利用した代金前払い方式による通信システムのシステム構成を示す模式図である。
【図２】本発明である管理中継局自動接続装置に於ける自動接続手段と管理中継局装置に於ける処理手段群の処理の流れ図である。
【符号の説明】
１　携帯無線電話機
２　固定電話機
３　インターネット
４　管理中継局自動接続装置
５　メモリー
６　自動接続手段
１０　管理中継局装置
１１　Ｗｅｂサーバー
１２　データベースサーバー
１３　アプリケーションサーバー
２０　データベース
２１　課金テーブル
２２　接続電話機テーブル
２３　登録情報テーブル
３０　処理手段群
３１　利用条件検査手段
３２　接続電話機登録手段
３３　音声振分手段
３４　登録情報検索手段
１００　Ｗｅｂを利用した代金前払い方式による通信システム
【図１】
2004088174.tif 000003
【図２】
2004088174.tif 000004